(57)【特許請求の範囲】
【請求項１】
外周にネジが切られているネジ部と、該ネジ部の内部を上下方向に摺動するスライド部と、該スライド部に支点を介して接続し傾斜するようにした傾斜ネジキャップとより構成されることを特徴とするリンク/スライド収納機能付きネジ。
【請求項２】
スライド部にドライバー用溝を設け、ネジ部を回転せしめることを特徴とする請求項１記載のリンク/スライド収納機能付きネジ。
【請求項３】
傾斜ネジキャップにネジ頭を設け、該ネジ頭を分割し、ネジ溝を設けたことを特徴とする請求項２記載のリンク/スライド収納機能付きネジ。
【請求項４】
傾斜ネジキャップのネジ頭は取付部材に食い込むツバ部を設けたことを特徴とする請求項３記載のリンク/スライド収納機能付きネジ。
【請求項５】
ネジ頭とネジ部はほぼ同一の径にしたことを特徴とする請求項４記載のリンク/スライド収納機能付きネジ。
【請求項６】
ネジ部はネジ頭の分割部分に挿入するガイドピンを設け、該ガイドピンにより前記ネジ頭を変形させ固定することを特徴とする請求項３、４および５記載のリンク/スライド収納機能付きネジ。
【請求項７】
傾斜ネジキャップおよびスライド部は、ネジ部内に上下にスライド移動し収納するように構成したことを特徴とする請求項１記載のリンク/スライド収納機能付きネジ。
【請求項８】
ネジ部は、その内部に傾斜ネジキャップを上部に保持する為の圧縮スプリングを設けたことを特徴とする請求項７記載のリンク/スライド収納機能付きネジ。
【請求項９】
ネジ部は、傾斜ネジキャップの上下スライド移動をガイドする為のガイドピンを設けたことを特徴とする請求項７記載のリンク/スライド収納機能付きネジ。
【請求項１０】
ガイドピンは、スライド部の下方向のスライド移動により傾斜ネジキャップを押し広げる機能を有することを特徴とする請求項９記載のリンク/スライド収納機能付きネジ。
【請求項１１】
ネジ部の内部に設けた逆ネジ部とスライド部の逆ネジ部とでロック機構を構成したことを特徴とする請求項９記載のリンク/スライド収納機能付きネジ。
【請求項１２】
傾斜ネジキャップは極薄のネジ頭にし、ツバが食い込み緩み止め手段となることを特徴とする請求項４記載のリンク/スライド収納機能付きネジ。
【発明の詳細な説明】
【０００１】
【発明の属する技術分野】
本発明はリンク/スライド収納機能付きネジに関し、特に、省スペース化と緩み防止を可能とするリンク/スライド収納機能付きネジ（以下、スライドヘッドネジと称する）に関する。
【０００２】
【従来の技術】
従来、この種のネジ６０は、図９に示すようにワッシャー６１およびスプリングワッシャー６２を組み合わせた組込みネジにして締め付けを行っていた。このため、ネジ６０はワッシャーの径が必要となる為固定面積が大きくなってしまう。
【０００３】
図１０に示すようなネジ７０では、ネジ頭７１の形状そのものをツバ７２にし締め付けを行っていた。このために、ネジ７０はネジの頭部分が比較的大きくなり、装置外観が悪く、最小化が困難であった。
【０００４】
また、図１１に示すようなネジ８０では小径ネジでネジ頭８１を薄くするとのネジの溝８２が深く出来ないため、締め付け時に破損しやすい。このため、ネジ頭８１を極薄くするためには、ワッシャー等を組み込めない為ネジゆるみ防止手段が液状の固定剤９０等に限られていた。
【０００５】
さらに従来のこの種のネジは特開昭６４−０２６０１３号公報に記載されているようにねじ軸を螺入するときに工具の先端部と嵌合するねじ頭部を設け、かつネジ頭に工具嵌合部を隠す部材を被着したネジが示されているが外観上の凸部の最小化やスペース上に問題があった。
【０００６】
【発明が解決しようとする課題】
この種の従来のネジでは、装置外観や、設置スペースの少ない場所でネジ止めを行う場合にネジ頭を薄く、狭くすることで外観上の凸部の最小化やスペース上の問題を解決し、又ネジ部に固定剤を注入することでゆるみ問題を解決してきた。
【０００７】
これらの点を踏まえ、本発明は一部品で同時に省スペース化をはかりネジの締め付けが出来るリンク/スライド収納機能付きネジを提供することにある。
【０００８】
【課題を解決するための手段】
本発明の第１の実施の形態は、外周にネジが切られているネジ部と、該ネジ部の内部を上下方向に摺動するスライド部と、該スライド部に支点を介して接続し傾斜するようにした傾斜ネジキャップとより構成されることを特徴とするリンク/スライド収納機能付きネジを提供する。
【０００９】
本発明の第２の実施の形態は、スライド部にドライバー用溝を設け、ネジ部を回転せしめることを特徴とする請求項１記載のリンク/スライド収納機能付きネジを提供する。
【００１０】
本発明の第３の実施の形態は、傾斜ネジキャップにネジ頭を設け、該ネジ頭を分割し、ネジ溝を設けたことを特徴とする請求項２記載のリンク/スライド収納機能付きネジを提供する。
【００１１】
本発明の第４の実施の形態は、傾斜ネジキャップのネジ頭は取付部材に食い込むツバ部を設けたことを特徴とする請求項３記載のリンク/スライド収納機能付きネジを提供する。
【００１２】
本発明の第５の実施の形態は、ネジ頭とネジ部はほぼ同一の径にしたことを特徴とする請求項４記載のリンク/スライド収納機能付きネジを提供する。
【００１３】
本発明の第６の実施の形態は、ネジ部はネジ頭の分割部分に挿入するガイドピンを設け、該ガイドピンにより前記ネジ頭を変形させ固定することを特徴とする請求項３、４および５記載のリンク/スライド収納機能付きネジを提供する。
【００１４】
本発明の第７の実施の形態は、傾斜ネジキャップおよびスライド部は、ネジ部内に上下にスライド移動し収納するように構成したことを特徴とする請求項１記載のリンク/スライド収納機能付きネジを提供する。
【００１５】
本発明の第８の実施の形態は、ネジ部は、その内部に傾斜ネジキャップを上部に保持する為の圧縮スプリングを設けたことを特徴とする請求項７記載のリンク/スライド収納機能付きネジを提供する。
【００１６】
本発明の第９の実施の形態は、傾斜ネジキャップの上下スライド移動をガイドする為のガイドピンを設けたことを特徴とする請求項８記載のリンク/スライド収納機能付きネジを提供する。
【００１７】
本発明の第１０の実施の形態は、ガイドピンは、スライド部の下方向のスライド移動により傾斜ネジキャップを押し広げる機能を有することを特徴とする請求項９記載のリンク/スライド収納機能付きネジを提供する。
【００１８】
本発明の第１１の実施の形態は、ネジ部の内部に設けた逆ネジ部とスライド部の逆ネジ部とでロック機構を構成したことを特徴とする請求項８記載のリンク/スライド収納機能付きネジを提供する。
【００１９】
本発明の第１２の実施の形態は、傾斜ネジキャップは極薄のネジ頭にし、ツバが食い込み緩み止め手段となることを特徴とする請求項４記載のリンク/スライド収納機能付きネジを提供する。
【００２０】
【発明の実施の形態】
次に、本発明の実施の形態について図面を参照して詳細に説明する。
【００２１】
図１〜図８は本発明の一実施例を示す。図１〜図８を参照すると、本発明の一実施例はリンク/スライド収納機能付きネジ（以下、スライドヘッドネジと称する）で、外周にネジが切られているネジ部１１と、ネジ部１１の内側を摺動するスライド部１４と、スライド部１４に揺動する傾斜ネジキャップ１２（以下、ネジキャップと称する）とで構成されている。
【００２２】
ネジ部１１は内側にスライド部１４を摺動するスライド用溝１９（図３および図７）が設けられており、上下に移動するように構成されている。
【００２３】
ネジ部１１の内部には、ネジキャップ１２およびスライド部１４を上部に保持する為の圧縮スプリング（以下、プリングと称する）１６（図３）とネジキャップ１２の上下スライド移動をガイドする為のガイドピン１７（図５）とスライド部１４を摺動するスライド用溝１９（図７）が設けられている。ネジ部１１の内部は図５に示すようにネジキャップ１２およびスライド部１４が下にスライド移動し収納されるように構成されている。
【００２４】
ネジ部１１は内部に逆（メ）ネジ部１８（図６）が設けられ、ネジキャップ１２のスライド部１４にも逆（オ）ネジ部１８ａ（図５）が設けられており、ネジ部１１の内側の逆（メ）ネジ部１８とスライド部１４の逆（オ）ネジ部１８ａとが螺合することにより、ロック機構を構成している。
【００２５】
このネジキャップ１２はスライド部１４に接続する支点１３を持ち大きく傾斜するように構成されている。スライド部１４はネジ部１１の内側に設けたスライド用溝１９（図３および図７）に摺動するように突起部２０が設けられている。
【００２６】
スライド部１４はドライバー用溝を回転させることによりスライド部１４と突起部２０が一体となってネジ部１１を回転するように構成されている。
【００２７】
ネジキャップ１２はネジ部１１の内部に押し込まれると、スライド部１４の突起部２０がネジ部１１のスライド用溝１９からはずれ、スライド部１４側の逆ネジ部１８ａがネジ部１１の内部の逆ネジ部１８とに螺合するように構成されている。
【００２８】
ネジキャップ１２はネジ頭部が分割されており、深い溝を構成することで、ドライバーの深い挿入が可能となり溝の破損を防止できる構造となっている。
【００２９】
さらに、ネジキャップ１２はネジ頭のツバ部２２が食い込み方式（図８）を構成し、ツバ部２２が取付部材４０に食い込み、ゆるみを防止ができる構造となっている。
【００３０】
つぎに、本発明の一実施例の動作を説明する。
【００３１】
まず、図１に示すようにネジ１０は取付部材４０のメネジ部４１に挿入し、ネジキャップ１２を倒した状態で、支点１３の近傍にあるドライバー用溝１５にドライバー３０を入れ、図２に示すように時計（正転）方向（矢印Ｇ）に締め付ける。これにより、ネジ１０のネジ部１１が取付部材４０に全て入り込む（図２）まで行う。
【００３２】
図３に示すようにネジキャップ１２を矢印Ｈ方向に垂直に戻し、ネジキャップ１２を図４に示すように矢印Ｉ方向に押し込むと、ネジキャップ側の逆（オ）ネジ部１８ａがネジ部１１の逆（メ）ネジ部１８に到達する。
【００３３】
ネジキャップ１２がガイドピン１７により押し広げられ、図５に示すように矢印Ｊ方向に移動し、ツバ部２２を変形させる。
【００３４】
ネジキャップ１２は図６に示すようにロック方向（矢印Ｋ）にネジ溝を介して回転させ締め付けることにより、ネジキャップ１２のツバ部２２の先端が取付部材に図８に示すように食い込む。さらに、ネジキャップ１２を逆方向（ロック方向）に回転し締め付ける。
【００３５】
スライドヘッドネジ１０を外す場合は、始めにネジキャップ１２を時計方向（解除方向）に回転することでネジ部１１とスライド部１４の逆ネジ部１８、１８ａが外れ、ネジキャップ１２が圧縮スプリング１６の力により持ち上げられ、尚且つネジキャップ１２を倒すことでドライバー等により外すことが可能となる。
【００３６】
【発明の効果】
以上説明したように、本発明は、ネジキャップにより最小面積のツバで固定が可能であり、ネジを分割することにより溝を構成するので深い挿入が可能となり極薄ネジ頭の破損を防止できる効果がある。
【００３７】
さらに、本発明は、極薄ネジ頭であって、ネジ頭のツバ部２２の食い込み方式としたので、ゆるみ防止ができる効果が得られる。
【００３８】
さらにまた、本発明はネジを一部品としたので省スペース化を可能とした効果がある。
【図面の簡単な説明】
【図１】本発明の一実施例におけるドライバーを溝にいれる状態を示す図である。
【図２】本発明の一実施例におけるネジキャップを時計方向に締め付ける状態を示す図である。
【図３】本発明の一実施例におけるネジキャップを垂直に戻す状態を示す図である。
【図４】本発明の一実施例におけるネジキャップを垂直に押し込む状態を示し、図３のＢ−Ｂ断面を示す図である。
【図５】本発明の一実施例におけるガイドピンによって傾斜ネジキャップが開く状態を示す図である。
【図６】本発明の一実施例におけるネジキャップを反時計方向に回転させる状態を示す図である。
【図７】本発明の一実施例におけるスライド用溝を示し、図３のＡ−Ａ断面を示す図である。
【図８】本発明の一実施例におけるネジキャップが食い込む状態を示し、図５のカ部分を拡大した図である。
【図９】従来の第１のネジにおける締め付け状態を示す図である。
【図１０】従来の第２のネジにおける締め付け状態を示す図である。
【図１１】従来の第３のネジにおける締め付け状態を示す図である。
【符号の説明】
１０    ネジ
１１    ネジ部
１２    傾斜ネジキャップ
１３    支点
１４    スライド部
１５    ドライバー用溝
１６    圧縮スプリング
１７    ガイドピン
１８，１８ａ    逆ネジ部
１９    スライド用溝
２０    突起部
２２    ツバ部
３０    ドライバー
４０    取付部材
４１    メネジ部
【図１】
0003637012.tif 000002
【図２】
0003637012.tif 000003
【図３】
0003637012.tif 000004
【図４】
0003637012.tif 000005
【図５】
0003637012.tif 000006
【図６】
0003637012.tif 000007
【図７】
0003637012.tif 000008
【図８】
0003637012.tif 000009
【図９】
0003637012.tif 000010
【図１０】
0003637012.tif 000011
【図１１】
0003637012.tif 000012